(57)【特許請求の範囲】
【請求項１】
エキスパンド格子体に活物質ペーストを充填してなるエキスパンド極板を熟成する際に、熟成すべきエキスパンド極板を収容するエキスパンド極板熟成用ケースであって、
長側壁及び短側壁を有する側壁と底壁とを備えたほぼ直方体の形状を有して、内部に極板収容空間が、上面に極板挿入用開口部がそれぞれ形成され、
前記長側壁及び底壁に通気用開口部が形成されるとともに、前記短側壁の内面に極板挿入ガイドリブが形成され、
前記側壁の上部及び下部にそれぞれ水平向きの上部フランジ及び下部フランジが形成され、
前記長側壁及び短側壁の外面には両端が上部フランジ及び下部フランジに接続された補強リブが突設され、
前記底壁には位置ずれ防止用リブが下向きに突設されていて、このケースを複数個積み重ねた際に上側のケースの前記位置ずれ防止用リブが下側のケースの前記極板挿入用開口部に嵌ってケースの位置ずれを防止するように構成されていること、
を特徴とするエキスパンド極板熟成用ケース。
【発明の詳細な説明】
【０００１】
【発明の属する技術分野】
本発明は、エキスパンド極板の熟成方法及びこれに用いるエキスパンド極板熟成用ケースに関するものである。
【０００２】
【従来の技術】
従来のエキスパンド極板の熟成方法は、図４に示すように、パレット１上に多数枚のエキスパンド極板２を平積みして熟成を行っていた。
【０００３】
【発明が解決しようとする課題】
しかしながら、このようなエキスパンド極板の熟成方法では、エキスパンド極板２を平積みしているため、自重でエキスパンド極板２同士が密着し、その結果、極板同士が貼り付いてしまったり、熟成時間が長くなる問題点があった。
【０００４】
本発明の目的は、極板が相互に貼り付かず、また熟成時間を短縮できるエキスパンド極板の熟成方法に用いるエキスパンド極板熟成用ケースを提供することにある。
【０００５】
【課題を解決するための手段】
本発明は、エキスパンド格子体に活物質ペーストを充填してなるエキスパンド極板を熟成する際に、熟成すべきエキスパンド極板を収容するエキスパンド極板熟成用ケースを改良するものである。
【０００６】
本発明に係るエキスパンド極板熟成用ケースは、長側壁及び短側壁を有する側壁と底壁とを備えたほぼ直方体の形状を有して、内部に極板収容空間が、上面に極板挿入用開口部がそれぞれ形成され、長側壁及び底壁に通気用開口部が形成されるとともに、短側壁の内面に極板挿入ガイドリブが形成されている。また側壁の上部及び下部にそれぞれ水平向きの上部フランジ及び下部フランジが形成され、長側壁及び短側壁の外面には両端が上部フランジ及び下部フランジに接続された補強リブが突設されている。更に底壁には位置ずれ防止用リブが下向きに突設されていて、このケースを複数個積み重ねた際に上側のケースの位置ずれ防止用リブが下側のケースの極板挿入用開口部に嵌ってケースの位置ずれを防止するように構成されている。
【０００７】
上記のように、本発明に係わるエキスパンド極板熟成用ケースは、極板挿入開口部を有するので、この開口部から内部の極板収容空間への極板の挿入を容易に行うことができる。また、長側壁と底壁とに通気用開口部を有するので、内部の極板収容空間への通気を容易に行うことができる。また、短側壁の内面には極板挿入ガイドリブを有するので、内部の極板収容空間への極板の挿入を容易に行うことができる。
【０００８】
また、本発明に係るエキスパンド極板熟成用ケースは、側壁の上部及び下部にそれぞれ水平向きの上部フランジ及び下部フランジを有するので、ケースの機械的強度を向上させることができる。また、上部フランジはこのケースを移動する際の取っ手として利用することができる。
【０００９】
また、本発明に係るエキスパンド極板熟成用ケースは、短側壁の外面に両端を上部フランジと下部フランジに接続した補強リブを有するので、ケースの上下方向の機械的強度を向上させることができ、積み重ねに十分に耐えることができる。
【００１０】
【発明の実施の形態】
図１は本発明に係るエキスパンド極板の熟成方法で用いるエキスパンド極板熟成用ケースの実施の形態の一例を示したものである。
【００１１】
本例のエキスパンド極板熟成用ケース３は、ほぼ直方体状をしていて、内部に極板収容空間４、上面に極板挿入開口部５、長側壁と底壁に通気用開口部６、短側壁の内面に極板挿入ガイドリブ７を有する。また、側壁の上部に水平向きの上部フランジ８、側壁の下部に水平向きの下部フランジ９が設けられている。また、短側壁の外面には、両端を上部フランジ８と下部フランジ９に接続した補強リブ１０が突設されている。本例では、長側壁にも通気用開口部６の存在箇所の両側に、両端を上部フランジ８と下部フランジ９に接続して補強リブ１０が突設されている。また、底壁には、このケース３を積み重ねる際に、下側のケース３の開口部５に嵌まる位置ずれ防止リブ１２が下向きに突設されている。このようなエキスパンド極板熟成用ケース３は、例えば合成樹脂で成形されている。
【００１２】
次に、かかるエキスパンド極板熟成用ケース３を用いて行うエキスパンド極板の熟成方法の実施の形態の一例について説明する。
【００１３】
まず、図２に示すように、エキスパンド極板熟成用ケース３の極板挿入開口部５を横向にし、かかる状態で該開口部５からエキスパンド極板２を水平向きで積み重ねつつ挿入する。
【００１４】
次に、このようにしてエキスパンド極板２を収容したエキスパンド極板熟成用ケース３を複数個形成し、これらエキスパンド極板熟成用ケース３を、図３に示すように、エキスパンド極板２が垂直方向を向くように配置して、積み重ねる。
【００１５】
かかる状態で、各エキスパンド極板２の熟成を行う。
【００１６】
このようにエキスパンド極板熟成用ケース３をエキスパンド極板２が垂直方向を向くように配置して熟成すると、自重による極板２同士の密着がなくなり、その結果、極板２の貼り付き防止や熟成時間の短縮を図ることができる。
【００１７】
また、エキスパンド極板２を収容したエキスパンド極板熟成用ケース３を複数段に積み重ねて熟成すると、多数枚のエキスパンド極板２を、極板２の貼り付き防止や熟成時間の短縮を図りつつ一度に熟成させることができる。
【００１８】
また、エキスパンド極板２をエキスパンド極板熟成用ケース３に挿入する際に、該ケース３の極板挿入開口部５を横向にし、該開口部５からエキスパンド極板２を水平向きで積み重ねつつ挿入すると、エキスパンド極板２を該ケース３に挿入する作業を容易に行うことができる。
【００１９】
一方、この際に用いるエキスパンド極板熟成用ケース３は、極板挿入開口部５を有するので、この開口部５から内部の極板収容空間４へのエキスパンド極板２の挿入を容易に行うことができる。また、長側壁と底壁との通気用開口部６により内部の極板収容空間４への通気も容易に行うことができる。また、短側壁の内面の極板挿入ガイドリブ７により、内部の極板収容空間４へのエキスパンド極板２の挿入を容易に行うことができる。
【００２０】
また、このエキスパンド極板熟成用ケース３では、側壁の上部に水平向きの上部フランジ８、側壁の下部に水平向きの下部フランジ９が設けられているので、該ケース３の機械的強度を向上させることができる。また、上部フランジ８はこのケース３を移動する際の取っ手として利用することができる。
【００２１】
また、このエキスパンド極板熟成用ケース３では、短側壁の外面に両端を上部フランジ８と下部フランジ９に接続した補強リブ１０が突設されているので、該ケース３の上下方向の機械的強度を向上させることがで、積み重ねに十分に耐えることができる。
【００２２】
【表１】
0004380080.tif 000002
表１は、パレットにエキスパンド極板を平積みして熟成を行った場合（従来例）と、エキスパンド極板熟成用ケース３を用いて熟成を行った場合（本発明例）の、熟成時間（ｈ）と、エキスパンド極板の貼り付き率（％）との比較結果を示したものである。
【００２３】
この表１から明らかなように、本発明例によれば従来例に比べて熟成時間が短くなり、また本発明例によればエキスパンド極板２の貼り付きの発生もなくなった。
【００２４】
【発明の効果】
【００２５】
本発明に係るエキスパンド極板熟成用ケースでは、極板挿入開口部を有するので、この開口部から内部の極板収容空間への極板の挿入を容易に行うことができる。また、長側壁と底壁とに設けられた通気用開口部により内部の極板収容空間への通気を容易に行うことができる。更に、短側壁の内面に極板挿入ガイドリブが設けられているため、内部の極板収容空間への極板の挿入を容易に行うことができる。
【００２６】
また、本発明に係るエキスパンド極板熟成用ケースは、ケースの側壁の上下にそれぞれフランジを備えているので、ケースの機械的強度を向上させることができる。また、上部フランジはこのケースを移動する際の取っ手として利用することができる。
【００２７】
また、本発明に係るエキスパンド極板熟成用ケースでは、長側壁及び短側壁の外面に両端を上部フランジと下部フランジに接続した補強リブが突設されているので、該ケースの上下方向の機械的強度を向上させることができ、積み重ねに十分に耐えることができる。
【図面の簡単な説明】
【図１】  本発明に係るエキスパンド極板熟成用ケースの実施の形態の一例を示す斜視図である。
【図２】  本発明に係るエキスパンド極板熟成用ケースを用いて行うエキスパンド極板の熟成方法の実施の形態の一例でケース内にエキスパンド極板を挿入する工程を示す説明図である。
【図３】  本発明に係るエキスパンド極板熟成用ケースを用いて行うエキスパンド極板の熟成方法の実施の形態の一例で熟成を行う工程の説明図である。
【図４】  従来の熟成を行う工程の説明図である。
【符号の説明】
１  パレット
２  エキスパンド極板
３  エキスパンド極板熟成用ケース
４  極板収容空間
５  極板挿入開口部
６  通気用開口部
７  極板挿入ガイドリブ
８  上部フランジ
９  下部フランジ
１０，１１  補強リブ
１２  位置ずれ防止リブ
【図１】
0004380080.tif 000003
【図２】
0004380080.tif 000004
【図３】
0004380080.tif 000005
【図４】
0004380080.tif 000006